(57)【要約】【課題】端子ボックス内の温度が上昇することを抑制できると共に太陽電池セル群とバイパスダイオードを接続する配線を簡略化することができるようにする。【解決手段】光を電力に変換する第１の太陽電池セル群４Ａと、第１の太陽電池セル群４Ａと直列に接続され、且つ光を電力に変換する第２の太陽電池セル群４Ｂを備えた。また、第１の端子ボックス５Ａと、第２の端子ボックス５Ｂを備えた。そして、第１の端子ボックス５Ａには、第１の太陽電池セル群４Ａと並列に接続された第１のバイパスダイオード１６Ａが収納されている。さらに、第２の端子ボックス５Ｂには、第２の太陽電池セル群４Ｂと並列に接続された第２のバイパスダイオード１６Ｂが収納されている。【選択図】図２
2010165993.tif 000002
【特許請求の範囲】
【請求項１】
光を電力に変換する第１の太陽電池セル群と、
前記第１の太陽電池セル群と直列に接続され、且つ光を電力に変換する第２の太陽電池セル群と、
前記第１の太陽電池セル群と並列に接続された第１のバイパスダイオードを有する第１の端子ボックスと、
前記第２の太陽電池セル群と並列に接続された第２のバイパスダイオードを有する第２の端子ボックスと、
を備えた太陽電池モジュール。
【請求項２】
前記第１の太陽電池セル群及び前記第２の太陽電池セル群は、複数の太陽電池セルを直列に接続して構成されている
請求項１に記載の太陽電池モジュール。
【請求項３】
前記第１の端子ボックスには、出力用の正極端子が設けられ、
前記第２の端子ボックスには、出力用の負極端子が設けられている
請求項１または２に記載の太陽電池モジュール。
【請求項４】
前記第１の端子ボックスは、前記第１の太陽電池セル群と対向して配置され、
前記第２の端子ボックスは、前記第２の太陽電池セル群と対向して配置されている
請求項１〜３のいずれかに記載の太陽電池モジュール。
【請求項５】
前記第１の端子ボックスは、前記第１の太陽電池セル群の受光面と反対側の面に対向して配置され、
前記第２の端子ボックスは、前記第２の太陽電池セル群の受光面と反対側の面に対向して配置されている
請求項４に記載の太陽電池モジュール。
【請求項６】
前記第１の太陽電池セル群及び前記第２の太陽電池セル群と直列に接続され、且つ光を電力に変換する第３の太陽電池セル群と、
前記第３の太陽電池セル群と並列に接続された第３のバイパスダイオードを有する第３の端子ボックスと、を備えた
請求項１〜５のいずれかに記載の太陽電池モジュール。
【発明の詳細な説明】
【技術分野】
【０００１】
本発明は、光、例えば太陽光を電力に変換する太陽光発電システムを構成する太陽電池モジュールに関するものである。
【背景技術】
【０００２】
近年、地球温暖化防止対策の有力な切り札として太陽光発電システム注目されている。この太陽光発電システムは、太陽電池パネルとその付属部品から構成される太陽電池モジュールにより構築されるシステムである。作今、電力会社が一般の需要家からの余剰電力の購入をすることもあり、各家庭や事業所内の分散型電源システムとして、その需要も急速に伸びている。特に西欧諸国では、温暖化防止対策の最有力な電源システムとして、太陽電池モジュールの需要は多く見込まれており、我が国からの輸出も増えている。
【０００３】
この太陽電池モジュールの構築に際しては、その発電性能（発電出力）を向上することが喫緊の課題となっており、各社はそのための様々な工夫に鎬（しのぎ）を削っている。太陽電池モジュールは、太陽電池セルを複数接続して作成される。そして、発電効率を上げるためには、それぞれの太陽電池セルの性能を向上させることのほか、その組み立技術も重要である。
【０００４】
この種の太陽電池モジュールの組み立てにとっての重要な要素技術として、太陽電池モジュールの接続用端子ボックスがある。例えば、特許文献１には、家屋の屋根等に配設される太陽電池モジュールに使用される太陽電池モジュールの接続用端子ボックス装置およびその製造方法に関する技術が記載されている。また、特許文献２には、太陽電池モジュールを相互に接続する際に採用される端子ボックスの構造に関する技術が記載されている。
【０００５】
まず、従来の太陽電池モジュールについて図１１〜図１３に基づいて説明する。図１１は、従来の太陽電池モジュールを示す平面図、図１２は、図１１に示す従来の太陽電池モジュールの点線Ｍで囲まれた部分を拡大して示す説明図、図１３は、従来の太陽電池モジュールの電気的な接続関係を示す説明図である。
【０００６】
図１１〜図１３に示す従来の太陽電池モジュール１００は、３つの太陽電池セル群１０１Ａ，１０１Ｂ，１０１Ｃを有する太陽電池パネル１０４と、この太陽電池パネル１０４の背面に配置された端子ボックス１０２（図１３参照）を有している。太陽電池パネル１０４は、長方形の平板状に形成されている。
【０００７】
第１の太陽電池セル群１０１Ａは、太陽電池パネル１０４の短手方向の一側に配置され、第２の太陽電池セル群１０１Ｂは、太陽電池パネル１０４の短手方向の他側に配置されている。また、第３の太陽電池セル群１０１Ｃは、太陽電池パネル１０４の短手方向の略中央に配置されている。
【０００８】
第１の太陽電池セル群１０１Ａは、２つの太陽電池セル列１０１ａを短手方向に並べて構成されている。この太陽電池セル列１０１ａは、９枚の太陽電池セル１０１をその受光面を同一方向に向けて、太陽電池パネル１０４の長手方向に並べて構成される。この太陽電池セル列１０１ａのような太陽電池セルのセル列は、一般的にストリングスと言われている。太陽電池セル列１０１ａを構成する９枚の太陽電池セル１０１は、２つの配線１０３によって直列に接続されている。さらに、２つの太陽電池セル列１０１ａは、太陽電池セル列１０１ａの長手方向の両端に配置されたリボン配線１０６を介して直列に接続されている。
【０００９】
なお、第２の太陽電池セル群１０１Ｂ及び第３の太陽電池セル群１０１Ｃは、第１の太陽電池セル群１０１Ａと同様の構成であるから、その説明は省略する。３つの太陽電池セル群１０１Ａ，１０１Ｂ，１０１Ｃは、リボン配線１０６を介して直列に接続されている。すなわち、この従来の太陽電池モジュール１００では、直列に接続された５４枚の太陽電池セル１０１で構成される太陽電池パネル１０４が用いられている。
【００１０】
６つの太陽電池セル列１０１ａと接続された４つのリボン配線１０６は、その端部が一箇所に集められている。図１２に示すように、リボン配線１０６の端部は、略直角に折り曲げられている。そして、４つのリボン配線１０６が交差する箇所には、絶縁部材１１１が設けられており、この絶縁部材１１１によりリボン配線１０６が互いに接触してショートすることを防止している。さらに、絶縁部材１１１は、リボン配線１０６と太陽電池セル１０１の裏面電極が接触してショートすることも防止している。この４つのリボン配線１０６の端部は、太陽電池パネル１０４の背面側に引き出される。そして、太陽電池パネル１０４の背面側に引き出されたリボン配線１０６は、端子ボックス１０２（図１３）に接続されている。
【００１１】
図１３に示すように、端子ボックス１０２には、４つの接続端子１０７ａ，１０７ｂ，１０７ｃ，１０７ｄと、３つのバイパスダイオード１０８ａ，１０８ｂ，１０８ｃと、出力用の正極端子１０９及び負極端子１１０が設けられている。第１の接続端子１０７ａは、正極端子１０９と電気的に接続され、第４の接続端子１０７ｄは、負極端子１１０と電気的に接続されている。この正極端子と負極端子から、５４枚の太陽電池セル１０１によって変換された電力が出力される。
【００１２】
第１のバイパスダイオード１０８ａは、第１の接続端子１０７ａ及び第２の接続端子１０７ｂと電気的に接続されている。第２のバイパスダイオード１０８ｂは、第３の接続端子１０７ｃ及び第４の接続端子１０７ｄと電気的に接続されている。また、第３のバイパスダイオード１０８ｃは、第３の接続端子１０７ｃ及び第２の接続端子１０７ｂと電気的に接続されている。
【００１３】
また、端子ボックス１０２には、４つの接続端子１０７ａ〜１０７ｄと対応する位置に開口部１１２が設けられている。そして、３つの太陽電池セル群１０１Ａ〜１０１Ｃに接続されたリボン配線１０６は、端子ボックス１０２の開口部１１２に挿通され、対応する４つの接続端子１０７ａ〜１０７ｄに半田付けされている。
【００１４】
すなわち、図１３に示すように、第１のバイパスダイオード１０８ａは、２個の太陽電池セル列１０１ａを接続するように第１の太陽電池セル群１０１Ａと並列に接続されている。また、同様に、第２のバイパスダイオード１０８ｂは、第２の太陽電池セル群１０１Ｂと並列に接続されており、第３のバイパスダイオード１０８ｃは、第３の太陽電池セル群１０１Ｃと並列に接続されている。
【００１５】
ここで、１つの太陽電池セル群に故障等が発生した際、この太陽電池セル群と並列に接続されたバイパスダイオードがバイパス機能を発揮する。すなわち、故障した太陽電池セル群をバイパスダイオードによって電気的に迂回させる。そして、残りの太陽電池セル群で発電が行われる。
【先行技術文献】
【特許文献】
【００１６】
【特許文献１】特開２００２−５７３６０号公報
【特許文献２】特開平１１−２６０３５号公報
【発明の概要】
【発明が解決しようとする課題】
【００１７】
しかしながら、従来の太陽電池モジュールでは、１つの端子ボックスの中に複数のバイパスダイオードを収納しているため、複数のバイパスダイオードから発生する熱によって、端子ボックス内が高温になっていた。更に、複数のバイパスダイオードは、隣り合うバイパスダイオードが発生した熱の影響を受けて故障するおそれがあった。したがって、従来の太陽電池モジュールは、複数のバイパスダイオードから発生した熱を放熱するために放熱機構を大型化する必要があり、端子ボックスの大型化を招いていた。
【００１８】
また、従来の太陽電池モジュールでは、１つの端子ボックスに接続端子を介して複数の太陽電池セル群が接続されている。そのため、端子ボックスから遠くに配置された太陽電池セル群の場合、端子ボックスに収納されたバイパスダイオードと太陽電池セル群を接続する配線（リボン配線）の長さが、長くなる。更に、太陽電池セル群の数が増えると、配線が複雑になると共に、配線が交差する箇所には、ショートを防止するための絶縁部材を設ける必要があった。その結果、従来の太陽電池モジュールは、配線の位置合わせが複雑になると共に絶縁部材の部品点数が増加する、という問題もあった。
【００１９】
本発明の目的は、上記の問題点を考慮し、端子ボックス内の温度が上昇することを抑制できると共に太陽電池セル群とバイパスダイオードを接続する配線を簡略化することができる太陽電池モジュールを提供することにある。
【課題を解決するための手段】
【００２０】
上記課題を解決し、本発明の目的を達成するため、本発明の太陽電池モジュールは、光を電力に変換する第１の太陽電池セル群と、第１の太陽電池セル群と直列に接続され、且つ光を電力に変換する第２の太陽電池セル群を備えている。更に、第１の太陽電池セル群と並列に接続された第１のバイパスダイオードを有する第１の端子ボックスと、第２の太陽電池セル群と並列に接続された第２のバイパスダイオードを有する第２の端子ボックスと、を備えたことを特徴としている。
【発明の効果】
【００２１】
本発明の太陽電池モジュールによれば、複数のバイパスダイオードを複数の端子ボックスに分割して配置している。その結果、一つの端子ボックスに収納される熱（発生）源が少なくなり、端子ボックス内の温度の上昇を抑制することができる。このため、放熱機構を小さくできるので、端子ボックスの小型化を図ることができる。更に、太陽電池セル群からバイパスダイオードまでを接続する配線を簡略化することが可能である。
【図面の簡単な説明】
【００２２】
【図１】本発明の太陽電池モジュールの実施の形態例を示す平面図である。
【図２】本発明の太陽電池モジュールの実施の形態例を示す背面図である。
【図３】本発明の太陽電池モジュールの実施の形態例に係る太陽電池パネルを示す断面図である。
【図４】本発明の太陽電池モジュールの実施の形態例に係る太陽電池パネルと枠体との取り付け状態を説明する断面図である。
【図５】図１に示す点線Ｓで囲んだ箇所を拡大して示す平面図である。
【図６】図１に示す点線Ｔで囲んだ箇所を拡大して示す平面図である。
【図７】本発明の太陽電池モジュールの実施の形態例に係る端子ボックスと配線の接続状態を説明する模式図である。
【図８】本発明の太陽電池モジュールの実施の形態例に係る第１の端子ボックスまたは第２の端子ボックスを示す平面図である。
【図９】本発明の太陽電池モジュールの実施の形態例に係る第３の端子ボックスを示す平面図である。
【図１０】本発明の太陽電池モジュールの実施の形態例に係る回路構成を示すブロック図である。
【図１１】従来の太陽電池モジュールを示す平面図である。
【図１２】図１１に示す点線Ｍで囲んだ箇所を拡大して示す平面図である。
【図１３】従来の太陽電池モジュールの回路構成を示すブロック図である。
【発明を実施するための形態】
【００２３】
以下、本発明の太陽電池モジュールの実施の形態例について、図１〜図１０を参照して説明する。なお、各図において共通の部材には、同一の符号を付している。また、本発明は、以下の形態に限定されるものではない。
【００２４】
１．太陽電池モジュールの実施の形態例
まず、本発明の太陽電池モジュールの実施の形態例（以下、「本例」という。）の構成を図１〜図１０に従って説明する。
図１は本例の太陽電池モジュールを示す平面図、図２は本例の太陽電池モジュールの背面図、図３は本例の太陽電池モジュールに係る太陽電池パネルを示す断面図である。図４は本例の太陽電池モジュールに係る太陽電池パネルと枠体を示す断面図である。図５及び図６は図１に示す点線Ｓ及びＴで囲んだ箇所を拡大して示す平面図である。
【００２５】
［太陽電池モジュールの構成例］
図１及び図２に示す太陽電池モジュール１は、平板状の太陽電池パネル２と、この太陽電池パネル２の周囲を囲む枠体３と、太陽電池パネル２の背面側に配置された３つの端子ボックス５Ａ，５Ｂ，５Ｃとを有している。
【００２６】
［太陽電池パネル］
図１及び図３に示すように、太陽電池パネル２は、３つの太陽電池セル群４Ａ，４Ｂ，４Ｃと、バックシート６と、透過ガラス９とを有している。この太陽電池パネル２は、５４枚の略四角形状の太陽電池セル４をバックシート６と透過ガラス９で挟んで構成されている。また、太陽電池セル４の表面側に透過ガラス９が配置され、太陽電池セル４の裏面側にバックシート６が配置されている。
【００２７】
バックシート６は、長方形をなす略平板状に形成されている。このバックシート６の色は、特に限定されるものではないが、光を反射させて太陽電池セル４に入射させるために、例えば白色に設定することが好ましい。そして、バックシート６の材質としては、耐光性に優れた材質が好ましく、例えば樹脂フィルムが適用される。
【００２８】
透過ガラス９は、略平板状に形成されており、バックシート６と略同一の大きさを有している。この透過ガラス９としては、耐光性、耐湿性及び光の透過率に優れた材質が好ましい。なお、赤外領域の光も透過することができる材質であれば、さらに好ましい。
【００２９】
このバックシート６と透過ガラス９の間に、太陽電池セル４が介在される。なお、この太陽電池セル４、透過ガラス９及びバックシート６の間にできる空間は、充填材１１で満たされている。充填材１１には、透過ガラス９と同様に、耐湿性及び光の透過率に優れた材質が好ましく、例えばエチレンビニルアセテート（ＥＶＡ）が用いられる。
【００３０】
さらに、図１に示すように、太陽電池パネル２の周囲には、枠体３が取り付けられている。図４に示すように、枠体３は、断面形状が中空の略直方体状に形成されている。この枠体３で太陽電池パネル２の周囲を囲むことで、太陽電池パネル２が外部からの衝撃等によって損傷することを防いでいる。また、枠体３には、略コの字状に形成された固定部１２が設けられている。この固定部１２には、太陽電池パネル２の周縁がガスケット１３を介して嵌め込まれている。太陽電池パネル２と固定部１２の間にガスケット１３を介在したことにより、太陽電池パネル２の透過ガラス９と太陽電池セル４の間や、バックシート６と太陽電池セル４の間に水等が侵入することを防止することができる。
【００３１】
第１の太陽電池セル群４Ａは、バックシート６の短手方向の一側に配置されており、第２の太陽電池セル群４Ｂは、バックシート６の短手方向の他側に配置されている。また、第３の太陽電池セル群４Ｃは、バックシート６の短手方向の略中央、すなわち第１の太陽電池セル群４Ａと第２の太陽電池セル群４Ｂの間に配置されている。
【００３２】
第１の太陽電池セル群４Ａは、２つの太陽電池セル列４ａ，４ｂをバックシート６の短手方向に並べて構成されている。同様に、第２の太陽電池セル群４Ｂは、２つの太陽電池セル列４ｃ，４ｄを短手方向に並べて構成されており、第３の太陽電池セル群４Ｃも２つの太陽電池セル列４ｅ，４ｆを短手方向に並べて構成されている。すなわち、６つの太陽電池セル列４ａ〜４ｆが、バックシート６の短手方向に並べて配置されている。
【００３３】
６つの太陽電池セル列４ａ〜４ｆは、それぞれ同一の構成を有しているため、ここでは第１の太陽電池セル列４ａについて説明する。
【００３４】
第１の太陽電池セル列４ａは、９枚の太陽電池セル４から構成されている。９枚の太陽電池セル４は、その受光面を同一方向に向けて、バックシート６の長手方向に沿って配置されている。この９枚の太陽電池セル４は、配線７を介して直列に接続されている。具体的には、図３に示すように、配線７の長手方向の一側が太陽電池セル４の表面に接続され、配線７の長手方向の他側が隣り合う太陽電池セル４の裏面に接続されている。
【００３５】
また、図５及び図６に示すように、９枚の太陽電池セル４のうち両端に配置された太陽電池セル４に接続された配線７は、第１の太陽電池セル列４ａの長手方向の両側に配設されたリボン配線８に接続されている。この配線７とリボン配線８は、例えば半田付けや溶接等の接続方法によって接続されている。
【００３６】
さらに、第１の太陽電池セル列４ａと第２の太陽電池セル列４ｂは、その長手方向の一側に配設されたリボン配線８を介して直列に接続されている。すなわち、第１の太陽電池セル群４Ａを構成する１８枚の太陽電池セル４が全て直列に接続されている。同様に、第３の太陽電池セル列４ｃと第４の太陽電池セル列４ｄ、第５の太陽電池セル列４ｅと第６の太陽電池セル列４ｆも、その長手方向の一端に配設されたリボン配線８を介して直列に接続されている。
【００３７】
さらに、第２の太陽電池セル列４ｂと第５の太陽電池セル列４ｅは、その長手方向の他側に配設されたリボン配線８を介して直列に接続されている。すなわち、第１の太陽電池セル群４Ａと第３の太陽電池セル群４Ｃは、直列に接続されている。同様に、第６の太陽電池セル列４ｆと第３の太陽電池セル列４ｃは、その長手方向の他側に配設されたリボン配線８を介して直列に接続されている。そのため、第２の太陽電池セル群４Ｂと第３の太陽電池セル群４Ｃも、直列に接続されている。このように、３つの太陽電池セル群４Ａ〜４Ｃは、全て直列に接続されている。
【００３８】
図７は太陽電池モジュールに係る太陽電池パネルを短手方向に断面した状態を示す説明図である。この図７に示すように、６つの太陽電池セル列４ａ〜４ｆ（図１参照）の長手方向の一側に配置された４つのリボン配線８うち両端に配置された２つのリボン配線８は、その長手方向の一側または他側が略直角に折り曲げられている。４つのリボン配線８のうち残りの２つのリボン配線８は、その長手方向の両側が略垂直に折り曲げられている。この折り曲げられたリボン配線８の一端または両端は、バックシート６に設けられた６つの貫通孔１４にそれぞれ挿通されている。そして、貫通孔１４を挿通したリボン配線８は、バックシート６の背面側に引き出され、３つの端子ボックス５Ａ，５Ｂ，５Ｃにそれぞれ接続されている。
【００３９】
本例では、太陽電池セル４として、結晶系の太陽電池セルが用いられている。しかしながら、本例に用いられる太陽電池セル４としては、結晶系の太陽電池セルに限定されるものではなく、非晶質系の太陽電池セルや結晶系と非晶質系の混合タイプの太陽電池セルを用いてもよい。
【００４０】
なお、太陽電池セル群を構成する太陽電池セル４の数は、上述したものに限定されるものではない。太陽電池セル群４Ａを構成する太陽電池セル４の数は、１７枚以下、または１９枚以上でもよい。また、太陽電池セル群は、２つまたは４つ以上設けてもよい。さらに、太陽電池セル４は、略四角形だけでなく、略五角形や円形状に形成してもよい。
【００４１】
［端子ボックス］
図２に示すように、３つの端子ボックス５Ａ，５Ｂ，５Ｃは、太陽電池パネル２の背面において太陽電池パネル２の長手方向の一側に配置されている。第１の端子ボックス５Ａは、太陽電池パネル２の短手方向の一側に配設され、第２の端子ボックス５Ｂは、太陽電池パネル２の短手方向の他側に配設されている。また、第３の端子ボックス５Ｃは、太陽電池パネル２の短手方向の略中央に配設されている。
【００４２】
具体的には、第１の端子ボックス５Ａは、第１の太陽電池セル群４Ａの受光面と反対側の面に対向して配置されている。同様に、第２の端子ボックス５Ｂは、第２の太陽電池セル群４Ｂの受光面と反対側の面に対向して配置され、第３の端子ボックス５Ｃは、第３の太陽電池セル群４Ｃの受光面と反対側の面に対向して配置されている。すなわち、３つの端子ボックス５Ａ〜５Ｃは、それぞれ対応する３つの太陽電池セル群４Ａ〜４Ｃの近傍に配置されている。なお、例えば、太陽電池パネル２の表面材が透過ガラスではなく、樹脂シートで形成されている場合、３つの端子ボックス５Ａ〜５Ｃを太陽電池パネル２の表面側に取り付けてもよい。
【００４３】
次に、図８及び図９を参照して端子ボックスについて説明する。図８は、第１の端子ボックス及び第２の端子ボックスを示す平面図、図９は、第３の端子ボックスを示す平面図である。
【００４４】
第１の端子ボックス５Ａ及び第２の端子ボックス５Ｂは、略同一の構成を有しているため、ここでは第１の端子ボックス５Ａについて説明する。
図８に示すように、第１の端子ボックス５Ａは、中空の略直方体状に形成されたケース１５を有している。第１の端子ボックス５Ａのケース１５には、第１のバイパスダイオード１６Ａと、２つの端子片１７，１８が収納されている。また、ケース１５の底面部には、所定の間隔を開けて２つの開口部１９，１９が設けられている。
【００４５】
第１の端子片１７と第２の端子片１８は、所定の間隔を開けて底面部に固定されている。この第１の端子片１７と第２の端子片１８におけるぞれぞれの端部は、２つの開口部１９，１９の上方に位置している。そして、第１の端子片１７と第２の端子片１８の間には、第１のバイパスダイオード１６Ａが配設されている。この第１のバイパスダイオード１６Ａは、第１の端子片１７と第２の端子片１８に半田付けによって電気的に接続されている。なお、第１のバイパスダイオード１６Ａと第１の端子片１７及び第２の端子片１８の接続は、半田付けだけでなく、例えば溶接や圧入等の接続方法で接続してもよい。また、第１の端子片１７には、出力用の正極端子２０が接続されている。
【００４６】
なお、第２の端子ボックス５Ｂでは、第２のバイパスダイオード１６Ｂが収納されており、第１の端子片１７と第２の端子片１８に接続されている。さらに、第２の端子ボックス５Ｂの第２の端子片１８には、出力用の負極端子２１が接続されている。
【００４７】
第１の端子ボックス５Ａは、その底面部をバックシート６の背面に重ね合わせると共に２つの開口部１９，１９とバックシート６に設けた貫通孔１４を対向させて、バックシート６に取り付けられている。
【００４８】
図９に示すように、第３の端子ボックス５Ｃは、第１及び第２の端子ボックス５Ａ，５Ｂと同様に、中空の略直方体状に形成されたケース２２を有している。第３の端子ボックス５Ｃのケース２２には、第３のバイパスダイオード１６Ｃと、２つの端子片２３，２４が収納されている。また、ケース２２の底面部には、２つの開口部２６，２６が設けられている。なお、この第３の端子ボックス５Ｃは、第１及び第２の端子ボックス５Ａ，５Ｂから出力用の正極端子２０または負極端子２１を除いたものである。その他の構成は、第１及び第２の端子ボックス５Ａ，５Ｂと同様であるため、それらの説明は省略する。
【００４９】
次に、図７及び図１０を参照して３つの端子ボックス５Ａ〜５Ｃと３つの太陽電池セル群４Ａ〜４Ｃとの接続について説明する。図１０は、本例の太陽電池モジュールの回路構成を示すブロック図である。
【００５０】
図７、図１０に示すように、第１の太陽電池セル群４Ａに接続された２つのリボン配線８の端部は、第１の端子ボックス５Ａの２つの開口部１９，１９に挿通されている。そして、２つのリボン配線８，８は、第１の端子片１７または第２の端子片１８に半田付けによって固定されている。これにより、第１の太陽電池セル群４Ａと第１の端子ボックス５Ａに設けた第１の端子片１７及び第２の端子片１８が電気的に接続される。すなわち、第１の端子ボックス５Ａに設けられた第１のバイパスダイオード１６Ａは、第１の太陽電池セル群４Ａと並列に接続されている。
【００５１】
同様に、第２の端子ボックス５Ｂに設けられた第２のバイパスダイオード１６Ｂは、第２の太陽電池セル群４Ｂと並列に接続され、第３の端子ボックス５Ｃに設けられた第３のバイパスダイオード１６Ｃは、第３の太陽電池セル群４Ｃと並列に接続されている。
【００５２】
なお、本例では、リボン配線８と端子片１７，１８とを半田付けによって固定した例を説明したが、これに限定されるものではない。例えば。リボン配線８と端子片１７，１８とをクリップで固定したり、溶接等の固定方法によって接続してもよい。
【００５３】
ここで、３つのバイパスダイオード１６Ａ〜１６Ｃの機能について説明する。３つの太陽電池セル群４Ａ〜４Ｃのうち、例えば第１の太陽電池セル群４Ａに落ち葉などで影が発生した場合、その第１の太陽電池セル群４Ａが抵抗となって発熱や太陽電池モジュール１全体の発電量が低下するおそれがある。そこで、第１の太陽電池セル群４Ａと並列に接続された第１のバイパスダイオード１６Ａがバイパス機能を発揮して、影になった第１の太陽電池セル群４Ａを電気的に迂回させる。その結果、残りの２つの太陽電池セル群４Ｂ，４Ｃで発電が行うことが可能である。
【００５４】
上述したように、本例の太陽電池モジュール１によれば、３つのバイパスダイオード１６Ａ，１６Ｂ，１６Ｃをそれぞれ３つの端子ボックス５Ａ，５Ｂ，５Ｃに分割して収納している。そのため、３つの端子ボックス５Ａ，５Ｂ，５Ｃに収納される熱（発生）源が少なくなるため、３つの端子ボックス５Ａ，５Ｂ，５Ｃ内の温度が上昇することを抑制することができる。その結果、放熱機構の小型化または削除することができ、各端子ボックス５Ａ，５Ｂ，５Ｃの小型化を図ることができる。さらに、３つのバイパスダイオード１６Ａ，１６Ｂ，１６Ｃは、隣り合うバイパスダイオードに発生した熱の影響を受ける心配がない。
【００５５】
また、本例では、各端子ボックス５Ａ，５Ｂ，５Ｃを対応する太陽電池セル群４Ａ，４Ｂ，４Ｃと対向させて配置している。すなわち、各端子ボックス５Ａ，５Ｂ，５Ｃを対応する太陽電池セル群４Ａ，４Ｂ，４Ｃの近傍に配置している。そのため、各太陽電池セル群４Ａ，４Ｂ，４Ｃと各バイパスダイオード１６Ａ，１６Ｂ，１６Ｃを接続するリボン配線８の長さを短くすることができる。その結果、３つの太陽電池セル群４Ａ，４Ｂ，４Ｃから各端子ボックス５Ａ，５Ｂ，５Ｃの接続端子までの配線の簡略化を図ることができる。さらに、リボン配線８が交差する箇所が無くなるため、絶縁部材の部品点数を削減することが可能である。
【００５６】
さらに、太陽電池セル群の数が増えた場合、バイパスダイオードの数も太陽電池セル群の数に対応して増加する。ここで、従来の太陽電池モジュールでは、端子ボックスの大きさ及び形状をバイパスダイオードの数に対応させる必要があり、バイパスダイオードの数に対応させた専用の端子ボックスが必要であった。これに対し、本例の太陽電池モジュール１によれば、バイパスダイオードの数に合わせて第３の端子ボックス５Ｃの数を増やすだけで済み、新たな端子ボックスを開発する必要がない。その結果、本例の太陽電池モジュール１では、端子ボックスの汎用性を高めることが可能である。
【００５７】
なお、本発明は上述しかつ図面に示した実施の形態に限定されるものではなく、特許請求の範囲に記載した発明の要旨を逸脱しない範囲内で種々の変形実施が可能である。上述した実施の形態例では、太陽電池モジュールに係る太陽電池パネルを長方形状に形成下例を説明したが、六角形や円形状に形成してもよい。さらに、リボン配線８を用いずに、配線７をバックシート６から引き出して、対応する端子ボックスの端子片に直接接続するようにしてもよい。
【符号の説明】
【００５８】
１…太陽電池モジュール、  ２…太陽電池パネル、  ３…枠体、  ４Ａ…第１の太陽電池セル群、  ４Ｂ…第２の太陽電池セル群、  ４Ｃ…第３の太陽電池セル群、  ４ａ〜４ｆ…第１〜第６の太陽電池セル列、  ４…太陽電池セル、  ５Ａ…第１の端子ボックス、  ５Ｂ…第２の端子ボックス、  ５Ｃ…第３の端子ボックス、  ６…バックシート、  ７…配線、  ８…リボン配線、  ９…透過ガラス、  １６Ａ…第１のバイパスダイオード、  １６Ｂ…第２のバイパスダイオード、  １６Ｃ…第３のバイパスダイオード、  ２０…正極端子、  ２１…負極端子
【図１】
2010165993.tif 000003
【図２】
2010165993.tif 000004
【図３】
2010165993.tif 000005
【図４】
2010165993.tif 000006
【図５】
2010165993.tif 000007
【図６】
2010165993.tif 000008
【図７】
2010165993.tif 000009
【図８】
2010165993.tif 000010
【図９】
2010165993.tif 000011
【図１０】
2010165993.tif 000012
【図１１】
2010165993.tif 000013
【図１２】
2010165993.tif 000014
【図１３】
2010165993.tif 000015